(57)【特許請求の範囲】
【請求項１】
物干し金具を取付けるための金具取付プレートであって、
一対の支柱間の隙間に挿入されて固定される固定プレートと、支柱から突出して配置されるように上記固定プレートから延設され上記金具を取付ける取付プレートと、ボルトとを備えてなり、上記固定プレートは、支柱間の隙間よりも薄く形成されるとともに、支柱間に固定するための取付孔が形成され、該取付孔に支柱間の隙間と同じ厚みのナットが固設され、一方の支柱側からボルトを、この支柱に形成された取付孔を通じてナットに螺入することで支柱に固定するようになされたことを特徴とする金具取付プレート。
【発明の詳細な説明】
【０００１】
【発明の属する技術分野】
本発明は、所定の金具を取付けるための金具取付プレートに関し、具体的には建物において例えば物干し竿を掛けるための物干し金具の取付けに利用される。
【０００２】
【従来の技術】
従来、この種の金具取付プレートとしては、図３に示すように固定プレートａと、上記固定プレートａから延設された取付プレートｂとを備えてなるものが提供されている。
【０００３】
具体的には、例えば物干し金具を取付ける場合には、図４に示すように、固定プレートａを建物に配設された左右一対の溝形鋼Ａ、Ａの間に挿入配置し、当該固定プレートａに設けられた挿通孔ａ１を通じて左右の溝形鋼Ａ、Ａにボルト・ナットｃにより固定するとともに、取付プレートｂに設けられた取付孔ｂ１に物干し金具ｄをネジｅによって固定することで、物干し金具ｄを建物の所定の位置に取付けている。
【０００４】
【発明が解決しようとする課題】
しかしながら、上記従来の金具取付プレートは、固定プレートａを溝形鋼Ａ、Ａの隙間に安定的に挿入して固定するため、当該固定プレートａの厚みを溝形鋼Ａ、Ａの隙間の幅と同じにしている。このため固定プレートａの重量、つまり金具取付プレート全体の重量が重くなり、施工作業に負担がかかるとともに、材料も多く使用することから製品コストの増加を招いていた。
【０００５】
本発明は、上記問題点に鑑みなされたもので、その目的とするところは、軽量化による施工作業の負担、並びに製品コストの低減を図ることのできる金具取付プレートを提供することにある。
【０００６】
【課題を解決するための手段】
請求項１に係る発明の金具取付プレートは、物干し金具を取付けるための金具取付プレートであって、一対の支柱間の隙間に挿入されて固定される固定プレートと、支柱から突出して配置されるように上記固定プレートから延設され上記金具を取付ける取付プレートと、ボルトとを備えてなり、上記固定プレートは、支柱間の隙間よりも薄く形成されるとともに、支柱間に固定するための取付孔が形成され、該取付孔に支柱間の隙間と同じ厚みのナットが固設され、一方の支柱側からボルトを、この支柱に形成された取付孔を通じてナットに螺入することで支柱に固定するようになされたものである。
【０００７】
【発明の実施の形態】
以下、本発明の実施の形態を図面を参照して説明する。
【０００８】
図１は、本発明の金具取付プレートを示している。
【０００９】
この金具取付プレート１は、例えば物干し金具などの金具を建物の適所に取付ける際に用いられるもので、固定プレート２と、取付プレート３とを備えてなるものである。
【００１０】
固定プレート２は、Ｌ字状の平板に形成されており、図２に示すように物干し金具Ｂを取付ける建物の取付位置に配設された左右一対の支柱としての溝形鋼Ａ（図２では手前の溝形鋼のみ図示している）間に挿入されて固定される。
【００１１】
この固定プレート２の厚みは、上記溝形鋼Ａ間の隙間よりも薄く形成されている。また、固定プレート２の上下には取付孔が形成されており、この取付孔に溝形鋼Ａ、Ａ間の隙間と同じ厚みのナット２１が溶接により固設されている。つまり、上下のナット２１の厚みにより固定プレート２が溝形鋼Ａ、Ａ間にガタなく安定的に配置される。
【００１２】
取付プレート３は、物干し金具Ｂを固定するためのプレートであり、固定プレート２の外方に延長された先端部にその厚みが当該固定プレート２の厚みと直交する方向に配置された状態で固設されている。この取付プレート３の上下には取付孔３１が設けられ、この取付孔３１を通じて物干し金具Ｂを固定するようになされている。
【００１３】
次に、このように構成された金具取付プレート１の取付けについて説明する。
【００１４】
まず、図２に示すように建物の取付位置となる左右一対の溝形鋼Ａ間に取付プレート３が外方となるように固定プレート２を挿入して配置し、固定プレート２のナット２１の位置と、予め溝形鋼Ａに形成されている取付孔の位置とを合致させる。そして、一方の溝形鋼Ａ側からボルト２２を上記取付孔を通じてナット２１に螺入することで、固定プレート２を溝形鋼Ａに固定する。
【００１５】
この際、ナット２１の厚みが溝形鋼Ａ間の隙間と同じになされていることから、上下のナット２１が溝形鋼Ａ間の隙間にぴったりと嵌まり込み、これにより固定プレート２と溝形鋼Ａ間との間には隙間があるものの、当該固定プレート２を安定的に固定することができる。また、ナット２１が予め固定プレート２に固設されており、このナット２１にボルト２２を螺入するだけで良いため、作業を容易に行うことができ、周辺が入り組んだ構造で自由度がなく作業しづらい場所での取付けに有効である。
【００１６】
このように固定プレート２を固定することで取付プレート３が溝形鋼Ａの側方に突出配置され、この取付プレート３に物干し金具Ｂの基端部を取付孔３１を通じてネジ３２によって締め付けることで、物干し金具Ｂを安定的に取り付けることができる。
【００１７】
このように金具取付プレート１は、固定プレート２が溝形鋼Ａの隙間に比べて薄肉に形成されているため、従来のように溝形鋼Ａの隙間と同じ厚さのものよりも格段に軽量であり、この軽量化により金具取付プレート１を取付ける施工作業の負担を低減できるとともに、軽量化の分だけ材料も少なくて済み製品コストの軽減を図ることができる。
【００１８】
【発明の効果】
以上述べたように、本発明の金具取付プレートによれば、固定プレートを支柱間の隙間よりも薄く形成するとともに、支柱間に固定するための取付孔が形成され、該取付孔に支柱間の隙間と同じ厚みのナットを固設したことで、固定プレートの重量、つまり金具取付プレート全体の重量の軽量化を図ることができ、これにより金具取付プレートを取付ける施工作業の負担を低減できるとともに、軽量化の分だけ材料も少なくて済み製品コストの軽減を図ることができる。また、一方の支柱側からボルトを、この支柱に形成された取付孔を通じてナットに螺入することで支柱に固定することができるので、作業を容易に行なうことができ、周辺が入り組んだ構造で自由度がなく作業しづらい場所での取付けも有効に行うことができる。
【図面の簡単な説明】
【図１】本発明の金具取付プレートを示す斜視図である。
【図２】本発明の金具取付プレートの取付状態を示す側面図である。
【図３】従来の金具取付プレートを示す斜視図である。
【図４】従来の金具取付プレートの取付状態の概略を示す平面図である。
【符号の説明】
１  金具取付プレート
２  固定プレート
２１  ナット
３  取付プレート
Ａ  溝形鋼（支柱）
【図１】
0004023583.tif 000002
【図２】
0004023583.tif 000003
【図３】
0004023583.tif 000004
【図４】
0004023583.tif 000005